(57)【特許請求の範囲】
【請求項１】
壁掛け型の室内機（２）に取り付けられ、かつ、第１検知可能領域（ＤＲ１）にいる人の存否を検知することができる第１センサ（４３ａ）と、
前記室内機に取り付けられ、かつ、第２検知可能領域（ＤＲ２）にいる人の存否を検知することができる第２センサ（４３ｂ）と、
マスキング部材（４４）と、
前記第１センサおよび前記第２センサによって検知された人の存否に応じて運転を制御する制御部（４）と、
を備え、
前記第１センサは、前記室内機から見て左方向にいる人の存否を検知し、
前記第２センサは、前記室内機から見て右方向にいる人の存否を検知し、
前記マスキング部材は、前記第１検知可能領域をマスキングして、前記第１検知可能領域を第１検知領域（Ｒ１）に限定し、かつ、前記第２検知可能領域をマスキングして、前記第２検知可能領域を第２検知領域（Ｒ２）に限定し、
前記マスキング部材は、前記第１検知可能領域および前記第２検知可能領域の両方をマスキングする一体の部材であり、かつ、前記室内機から見て、前記第１検知可能領域の右側の境界を限定し、前記第２検知可能領域の左側の境界を限定する、
空気調和機（１）。
【請求項２】
前記第１センサ、前記第２センサおよび前記マスキング部材は、前記第１検知領域の一部と前記第２検知領域の一部とが重複する領域である第３検知領域（Ｒ３）が存在するように配置される、
請求項１に記載の空気調和機。
【請求項３】
運転時において前記室内機の前方に向かって迫り出し、かつ、調和空気の吹出方向を上下方向に変化させる水平フラップ（１７）をさらに備え、
前記マスキング部材は、運転時における前記水平フラップが前記第１検知領域および前記第２検知領域に入らないように、前記第１検知可能領域および前記第２検知可能領域をマスキングする、
請求項１または２に記載の空気調和機。
【発明の詳細な説明】
【技術分野】
【０００１】
本発明は、空気調和機に関する。
【背景技術】
【０００２】
従来、室内にいる人の所在位置に応じて、送風方向および温度などを制御して、より効率的で快適な空調環境を提供する空気調和機が用いられている。例えば、特許文献１（特開２００９−８５５２７号公報）に開示されている空気調和機は、人の存否を検知する複数のセンサが、互いに異なる方向を向くように室内機の前面に取り付けられている。このような空気調和機では、各センサの検知領域に応じて快適な空気環境を高い精度で実現するために、各センサの検知領域の境界が正確に確定される必要がある。
【発明の概要】
【発明が解決しようとする課題】
【０００３】
本発明の目的は、室内機に取り付けられたセンサの検知領域の境界を正確に確定することができる空気調和機を提供することである。
【課題を解決するための手段】
【０００４】
本発明の第１観点に係る空気調和機は、第１センサと、第２センサと、マスキング部材と、制御部とを備える。第１センサおよび第２センサは、壁掛け型の室内機に取り付けられる。第１センサは、第１検知可能領域にいる人の存否を検知することができる。第２センサは、第２検知可能領域にいる人の存否を検知することができる。制御部は、第１センサおよび第２センサによって検知された人の存否に応じて運転を制御する。第１センサは、室内機から見て左方向にいる人の存否を検知する。第２センサは、室内機から見て右方向にいる人の存否を検知する。マスキング部材は、第１検知可能領域をマスキングして、第１検知可能領域を第１検知領域に限定し、かつ、第２検知可能領域をマスキングして、第２検知可能領域を第２検知領域に限定する。マスキング部材は、第１検知可能領域および第２検知可能領域の両方をマスキングする一体の部材である。マスキング部材は、室内機から見て、第１検知可能領域の右側の境界を限定し、かつ、第２検知可能領域の左側の境界を限定する。
【０００５】
第１観点に係る空気調和機では、壁掛け型の室内機は、第１センサおよび第２センサの２つの人検知センサを有する。第１センサは、本来、第１検知可能領域にいる人の存否を検知することができ、第２センサは、本来、第２検知可能領域にいる人の存否を検知することができる。そして、マスキング部材は、第１検知可能領域を、設定された第１検知領域に限定し、かつ、第２検知可能領域を、設定された第２検知領域に限定する。すなわち、マスキング部材によって、第１センサの検知領域および第２センサの検知領域が、所定の領域に限定される。従って、第１観点に係る空気調和機は、室内機に取り付けられたセンサの検知領域の境界を正確に確定することができる。
【０００６】
なお、第１観点に係る空気調和機では、第１センサ、第２センサおよびマスキング部材は、ユニット化されて室内機に取り付けられてもよいし、ユニット化されずに別個に室内機に取り付けられてもよい。
【０００７】
本発明の第２観点に係る空気調和機は、第１観点に係る空気調和機において、第１センサ、第２センサおよびマスキング部材は、第１検知領域の一部と第２検知領域の一部とが重複する領域である第３検知領域が存在するように配置される。
【０００８】
第２観点に係る空気調和機では、第１検知領域、第２検知領域および第３検知領域にいる人の存否を区別して検知することができる。
【０００９】
本発明の第３観点に係る空気調和機は、第１観点または第２観点に係る空気調和機において、水平フラップをさらに備える。水平フラップは、運転時において室内機の前方に向かって迫り出し、かつ、調和空気の吹出方向を上下方向に変化させる。マスキング部材は、運転時における水平フラップが第１検知領域および第２検知領域に入らないように、第１検知可能領域および第２検知可能領域をマスキングする。
【００１０】
第３観点に係る空気調和機では、第１センサおよび第２センサの検知領域に水平フラップが入らないように、第１検知可能領域および第２検知可能領域がマスキング部材によってマスキングされる。従って、第３観点に係る空気調和機は、水平フラップを誤って検知することを防ぐことができる。
【発明の効果】
【００１１】
本発明の第１観点または第２観点に係る空気調和機は、室内機に取り付けられたセンサの検知領域の境界を正確に確定することができる。
【００１２】
本発明の第３観点に係る空気調和機は、水平フラップを誤って検知することを防ぐことができる。
【図面の簡単な説明】
【００１３】
【図１】本発明の実施形態における、空気調和機の外観図である。
【図２】本発明の実施形態における、空気調和機の冷媒回路の概略図である。
【図３】本発明の実施形態における、室内機の内部構造を示す外観図である。
【図４】本発明の実施形態における、人検知センサユニットの外観図である。
【図５】本発明の実施形態における、人検知センサユニットの正面図である。
【図６】本発明の実施形態における、マスキング部材を除いた人検知センサユニットの正面図である。
【図７】本発明の実施形態における、マスキング部材を除いた人検知センサユニットの下面図である。
【図８】本発明の実施形態における、マスキング部材の正面図である。
【図９】本発明の実施形態における、制御部のブロック図である。
【図１０】本発明の実施形態における、赤外線センサの検知領域を示す図である。
【図１１】本発明の実施形態における、赤外線センサの検知可能領域を示す図である。
【図１２】本発明の変形例Ｂにおける、人検知センサユニットの正面図である。
【図１３】本発明の変形例Ｃにおける、室内機の断面図および赤外線センサの検知可能領域を示す図である。
【発明を実施するための形態】
【００１４】
以下、本発明に係る空気調和機の実施形態について、図面を参照しながら説明する。なお、本発明に係る空気調和機の実施形態は、本発明の具体例の一つであって、本発明の技術的範囲を限定するものではない。
【００１５】
（１）空気調和機の構成
図１は、本発明の実施形態に係る空気調和機１の外観図である。空気調和機１は、室内に設置される室内機２と、室外に設置される室外機３とを備える。空気調和機１は、室内の冷房、暖房および除湿などを行うことができる。
【００１６】
図２は、空気調和機１が有する冷媒回路１０の概略図である。空気調和機１の冷媒回路１０は、主に、室内熱交換器１２、アキュムレータ３１、圧縮機３２、四路切換弁３３、室外熱交換器３４および膨張弁３５から構成される。
【００１７】
室内機２は、室内熱交換器１２、室内ファン１３および室内ファンモータ１４を収納する。室内ファンモータ１４は、室内ファン１３を回転させて、室内熱交換器１２と熱交換を行う空気流を発生させる。
【００１８】
室外機３は、アキュムレータ３１、圧縮機３２、四路切換弁３３、室外熱交換器３４、膨張弁３５、室外ファン３８および室外ファンモータ３９を収納する。室外ファンモータ３９は、室外ファン３８を回転させて、室外熱交換器３４と熱交換を行う空気流を発生させる。
【００１９】
（２）室内機の構成
図３は、室内機２の内部構造を示す外観図である。室内機２の本体２０には、制御部４、室内熱交換器１２、室内ファン１３、水平フラップ１７およびフィルタ２１が収納されている。室内機２の本体２０の前面パネル２０ａには、人検知センサユニット４１が取り付けられている。室内機２の本体２０の底面には、吹出口１５が設けられている。
【００２０】
（２−１）フィルタ
フィルタ２１は、本体２０の前面パネル２０ａと室内熱交換器１２との間に配置されている。フィルタ２１は、室内熱交換器１２に向って流入してくる空気に含まれる塵埃を除去する。室内機２は、塵埃が付着したフィルタ２１を自動清掃する機構を有する。
【００２１】
（２−２）水平フラップ
水平フラップ１７は、吹出口１５の周囲に回動可能に保持され、調和空気の吹き出し方向を上下方向に変更する。空気調和機１が停止しているとき、水平フラップ１７は吹出口１５を閉じている。空気調和機１が運転しているとき、水平フラップ１７は、室内機２の前方に向かって迫り出して、吹出口１５を開いている。
【００２２】
水平フラップ１７は、水平フラップ迫り出し機構駆動用モータ１８ａおよび水平フラップ角度調整機構駆動用モータ１８ｂによって駆動される。水平フラップ迫り出し機構駆動用モータ１８ａは、水平フラップ迫り出し機構（図示せず）を駆動するステッピングモータである。水平フラップ迫り出し機構は、水平フラップ１７が吹出口１５の近傍から室内機２の前方に向かって迫り出すように、水平フラップ１７を前後方向にスライドさせる。水平フラップ角度調整機構駆動用モータ１８ｂは、水平フラップ角度調整機構（図示せず）を駆動するステッピングモータである。水平フラップ角度調整機構は、水平フラップ１７の傾斜角度を変更させる。
【００２３】
水平フラップ迫り出し機構駆動用モータ１８ａおよび水平フラップ角度調整機構駆動用モータ１８ｂによって、水平フラップ１７の前後方向の位置および傾斜角度が変更されることによって、調和空気の吹き出し方向が上下方向に変更される。なお、水平フラップ１７を駆動する水平フラップ迫り出し機構駆動用モータ１８ａおよび水平フラップ角度調整機構駆動用モータ１８ｂの詳細な構成および動作は、特開２０１１−２１８０９号公報に開示されている。
【００２４】
（２−３）人検知センサユニット
人検知センサユニット４１は、室内機２を正面から視たとき、前面パネル２０ａの中央下部に配置されている。人検知センサユニット４１は、主に、ユニット基板４２と、第１赤外線センサ４３ａと、第２赤外線センサ４３ｂと、マスキング部材４４からなる。図４は、人検知センサユニット４１の外観図である。図５は、人検知センサユニット４１の正面図である。図６は、マスキング部材４４を除いた人検知センサユニット４１の正面図である。図７は、マスキング部材４４を除いた人検知センサユニット４１の下面図である。図８は、マスキング部材４４の正面図である。
【００２５】
ユニット基板４２は、第１センサ保持部４２ａおよび第２センサ保持部４２ｂを有する。第１センサ保持部４２ａおよび第２センサ保持部４２ｂは、水平方向に並んで配置される。
【００２６】
第１赤外線センサ４３ａおよび第２赤外線センサ４３ｂは、室内機２の正面にいる人の存否を検知することができるセンサである。赤外線センサ４３ａ，４３ｂは、物体から放射される赤外線放射エネルギーの強度に応じて電気信号を出力する。赤外線放射エネルギーは、物体の温度と放射率によって定まり、温度が低いものは赤外線放射エネルギーが小さく、温度が高いものは赤外線放射エネルギーが大きい。赤外線センサ４３ａ，４３ｂは、この原理を応用することによって、人の存否を検知する。
【００２７】
例えば、温度が一定の物体からは常に同じ赤外線放射エネルギーが出ているので、その物体表面を監視している赤外線センサ４３ａ，４３ｂは、一定の電気信号を出力する。そして、この物体が比較的早い速度で移動したとき、赤外線センサ４３ａ，４３ｂは、その物体表面から出ていた赤外線放射エネルギーを受けなくなり、替わりに、その物体が在った場所の表面から出ている赤外線放射エネルギーを受ける。これにより、赤外線センサ４３ａ，４３ｂが出力する電気信号は大きく変化する。すなわち、赤外線センサ４３ａ，４３ｂの出力する電気信号が大きく変動したときは、赤外線センサ４３ａ，４３ｂの監視対象物が比較的早い速度で移動したと判断することができる。
【００２８】
本実施形態において、第１赤外線センサ４３ａは、第１センサ保持部４２ａに保持されており、第２赤外線センサ４３ｂは、第２センサ保持部４２ｂに保持されている。図７および後述する図１０に示されるように、第１センサ保持部４２ａに保持された第１赤外線センサ４３ａは、室内機２の正面左側の空間を向くように配置され、第２センサ保持部４２ｂに保持された第２赤外線センサ４３ｂは、室内機２の正面右側の空間を向くように配置されている。
【００２９】
マスキング部材４４は、第１赤外線センサ４３ａおよび第２赤外線センサ４３ｂが保持されたユニット基板４２の正面を覆う部材である。図５に示されるように、マスキング部材４４は、正面から視て、第１赤外線センサ４３ａの左側の一部を覆い、第２赤外線センサ４３ｂの右側の一部を覆う。すなわち、後述する図１１に示されるように、マスキング部材４４は、室内機２側から前方を視た場合において、第１赤外線センサ４３ａの右側の一部を覆い、第２赤外線センサ４３ｂの左側の一部を覆う。
【００３０】
（２−４）制御部
図９は、制御部４のブロック図である。制御部４は、マイコン４ａ、メモリ４ｂおよび駆動回路４ｃを有している。マイコン４ａは、第１赤外線センサ４３ａおよび第２赤外線センサ４３ｂから出力される電気信号の変化から、部屋に人がいるか否かを判定する。マイコン４ａは、その判定結果に基づいて、駆動回路４ｃに制御信号を出力する。駆動回路４ｃは、マイコン４ａから出力される制御信号に基づいて、水平フラップ迫り出し機構駆動用モータ１８ａへ駆動パルスを出力して水平フラップ１７を前後方向にスライドさせ、かつ、水平フラップ角度調整機構駆動用モータ１８ｂへ駆動パルスを出力して水平フラップ１７の傾斜角度を変更させる。制御信号の出力条件および出力形態は、メモリ４ｂに記憶されている。
【００３１】
本実施形態において、第１赤外線センサ４３ａおよび第２赤外線センサ４３ｂは、室内を常時監視している。例えば、温度が安定している無人の部屋に人が入ってきたときは、赤外線センサ４３ａ，４３ｂは、人体から発せられる赤外線放射エネルギーを受けるので、出力される電気信号が大きく変化する。制御部４は、赤外線センサ４３ａ，４３ｂからの電気信号の変化を「人がいる」と認識させるプログラムを記憶することで、室内の人の存否を検知することができる。
【００３２】
なお、制御部４は、室内ファンモータ１４、および、フィルタ２１を自動清掃する機構を駆動するモータへ駆動パルスを出力して、これらの動作を制御する機能を有する。
【００３３】
（３）空気調和機の動作
冷房運転時では、四路切換弁３３は、図２において実線で示す状態に保持される。圧縮機３２から吐出された高温高圧のガス冷媒は、四路切換弁３３を介して室外熱交換器３４に流入し、室外空気と熱交換して凝縮し液化する。液化した冷媒は、膨張弁３５を通過する際に減圧され、さらに室内熱交換器１２で室内空気と熱交換して蒸発する。そして、冷媒の蒸発によって冷却された室内空気は、室内ファン１３によって室内へと吹き出され、室内を冷房する。また、室内熱交換器１２で蒸発して気化した冷媒は、冷媒配管を通って室外機３に戻り、四路切換弁３３およびアキュムレータ３１を経て圧縮機３２に吸い込まれる。
【００３４】
暖房運転時では、四路切換弁３３は、図２において破線で示す状態に保持される。圧縮機３２から吐出された高温高圧のガス冷媒は、四路切換弁３３を介して室内熱交換器１２に流入し、室内空気と熱交換して凝縮し液化する。冷媒の凝縮によって加熱された室内空気は、室内ファン１３によって室内へと吹き出され、室内を暖房する。室内熱交換器１２において液化した冷媒は、冷媒配管を通って室外機３に戻る。室外機３に戻った冷媒は、膨張弁３５を通過する際に減圧され、さらに室外熱交換器３４で室外空気と熱交換して蒸発する。そして、室外熱交換器３４で蒸発して気化した冷媒は、四路切換弁３３およびアキュムレータ３１を経て圧縮機３２に吸い込まれる。
【００３５】
（４）人検知センサユニットの動作
図１０は、室内機２が設置された空間の上面図である。図１０は、人検知センサユニット４１が人の存否を検知することができる範囲を示す。図１０において、第１検知領域Ｒ１は、第１赤外線センサ４３ａが、人の存否を検知することができる領域であり、第２検知領域Ｒ２は、第２赤外線センサ４３ｂが、人の存否を検知することができる領域である。本実施形態において、第１検知領域Ｒ１は、第２検知領域Ｒ２と一部が重なっている。以下、第１検知領域Ｒ１と第２検知領域Ｒ２とが重なっている領域を、第３検知領域Ｒ３と呼ぶ。また、第１検知領域Ｒ１から第３検知領域Ｒ３を除いた領域を、第４検知領域Ｒ４と呼び、第２検知領域Ｒ２から第３検知領域Ｒ３を除いた領域を、第５検知領域Ｒ５と呼ぶ。
【００３６】
制御部４は、第１赤外線センサ４３ａおよび第２赤外線センサ４３ｂから出力される電気信号の変化に応じて、第３検知領域Ｒ３、第４検知領域Ｒ４および第５検知領域Ｒ５のいずれの領域に人がいるのかを検知することができる。すなわち、制御部４は、第１赤外線センサ４３ａからの電気信号のみが変化した場合に、第４検知領域Ｒ４に人がいると検知し、第２赤外線センサ４３ｂからの電気信号のみが変化した場合に、第５検知領域Ｒ５に人がいると検知し、第１赤外線センサ４３ａおよび第２赤外線センサ４３ｂからの電気信号が変化した場合に、第３検知領域Ｒ３に人がいると検知する。
【００３７】
（５）空気調和機の特徴
図１１は、室内機２が設置された空間の上面図である。図１１は、第１検知領域Ｒ１、第２検知領域Ｒ２、第１検知可能領域ＤＲ１および第２検知可能領域ＤＲ２を示す。第１検知可能領域ＤＲ１は、マスキング部材４４が取り付けられていない場合において、第１赤外線センサ４３ａが人の存否を検知することができる領域である。第２検知可能領域ＤＲ２は、マスキング部材４４が取り付けられていない場合において、第２赤外線センサ４３ｂが人の存否を検知することができる領域である。
【００３８】
図１１に示されるように、第１検知可能領域ＤＲ１は、第１検知領域Ｒ１より広い範囲を有し、第２検知可能領域ＤＲ２は、第２検知領域Ｒ２より広い範囲を有する。マスキング部材４４は、人検知センサユニット４１を正面から視た場合に第１赤外線センサ４３ａの左側の一部を覆う。これにより、室内機２を上から視た場合における第１検知可能領域ＤＲ１の右側境界ＲＢ１は、マスキング部材４４によって、第１検知領域Ｒ１の右側境界ＲＢ２に変更される。また、マスキング部材４４は、人検知センサユニット４１を正面から視た場合に第２赤外線センサ４３ｂの右側の一部を覆う。これにより、室内機２を上から視た場合における第２検知可能領域ＤＲ２の左側境界ＬＢ１は、マスキング部材４４によって、第２検知領域Ｒ２の左側境界ＬＢ２に変更される。
【００３９】
すなわち、本実施形態では、マスキング部材４４が、第１赤外線センサ４３ａおよび第２赤外線センサ４３ｂの前面の一部を覆うことによって、第１検知可能領域ＤＲ１は第１検知領域Ｒ１に制限され、第２検知可能領域ＤＲ２は第２検知領域Ｒ２に制限される。そして、マスキング部材４４を用いることによって、第１検知領域Ｒ１および第２検知領域Ｒ２の境界を正確に確定することができる。これにより、本実施形態の室内機２は、第１赤外線センサ４３ａの第１検知領域Ｒ１および第２赤外線センサ４３ｂの第２検知領域Ｒ２に応じて、快適な空気環境を高い精度で実現することができる。
【００４０】
また、本実施形態では、マスキング部材４４の形状を変更することによって、第１検知領域Ｒ１および第２検知領域Ｒ２の範囲を適宜に設定することができる。これにより、本実施形態の室内機２は、室内機２が設置される部屋の形状や室内機２の設置場所に応じて第１検知領域Ｒ１および第２検知領域Ｒ２を変更することで、快適な空気環境を高い精度で実現することができる。
【００４１】
（６）変形例
以上、本発明の実施形態について図面を参照しながら説明したが、本発明の具体的構成は、本発明の要旨を逸脱しない範囲内で変更可能である。以下、本発明の実施形態に対する適用可能な変形例について説明する。
【００４２】
（６−１）変形例Ａ
本実施形態では、人検知センサユニット４１は、第１赤外線センサ４３ａおよび第２赤外線センサ４３ｂの２つの赤外線センサを有するが、３つ以上の赤外線センサを有してもよい。例えば、人検知センサユニット４１は、３つの赤外線センサが水平方向に並んで配置され、各赤外線センサの検知領域の一部が互いに重なっていてもよい。一般的に、赤外線センサの数が多いほど、より多くの領域ごとに、人の存否を検知することができる。
【００４３】
（６−２）変形例Ｂ
本実施形態では、マスキング部材４４は、第１赤外線センサ４３ａおよび第２赤外線センサ４３ｂの前面の一部を覆う一体の部材であるが、複数の部品から構成されてもよい。例えば、図１２に示されるように、マスキング部材４４は、第１マスキング部品１４４ａおよび第２マスキング部品１４４ｂから構成されてもよい。この場合、第１マスキング部品１４４ａは、第１赤外線センサ４３ａの前面の一部を覆う部材であり、第２マスキング部品１４４ｂは、第２赤外線センサ４３ｂの前面の一部を覆う部材である。
【００４４】
（６−３）変形例Ｃ
マスキング部材４４は、室内機２の運転時において、第１赤外線センサ４３ａおよび第２赤外線センサ４３ｂの検知領域に水平フラップ１７が入らないように、第１検知可能領域ＤＲ１および第２検知可能領域ＤＲ２をマスキングすることが好ましい。
【００４５】
図１３は、図５の鎖線の位置で人検知センサユニット４１を切断した場合における、人検知センサユニット４１を含む室内機２全体の断面図である。本変形例では、第１赤外線センサ４３ａの第１検知可能領域ＤＲ１は、マスキング部材４４によって、第１検知領域Ｒ１に制限され、第２赤外線センサ４３ｂの第２検知可能領域ＤＲ２は、マスキング部材４４によって、第２検知領域Ｒ２に制限されている。マスキング部材４４は、第１赤外線センサ４３ａおよび第２赤外線センサ４３ｂの下方において、室内機２の前方に向かって突き出ている突出部４４ａを有する。図１３に示されるように、第１検知可能領域ＤＲ１および第２検知可能領域ＤＲ２の下側境界ＤＢ１は、マスキング部材４４の突出部４４ａによって、第１検知領域Ｒ１および第２検知領域Ｒ２の下側境界ＤＢ２に変更される。
【００４６】
本変形例では、図１３に示されるように、室内機２の前方に向かって水平フラップ１７が最大限迫り出したときに、水平フラップ１７の先端は、第１検知可能領域ＤＲ１および第２検知可能領域ＤＲ２の下側境界ＤＢ１よりも上方に位置しているが、第１検知領域Ｒ１および第２検知領域Ｒ２の下側境界ＤＢ２よりも下方に位置している。すなわち、水平フラップ１７が第１赤外線センサ４３ａおよび第２赤外線センサ４３ｂの検知領域に入ることを、マスキング部材４４によって防いでいる。従って、本変形例では、制御部４が、水平フラップ１７を誤って検知してしまうことを防ぐことができる。
【００４７】
（６−４）変形例Ｄ
本実施形態では、人検知センサユニット４１が、室内機２の前面パネル２０ａの中央下部に配置されている。人検知センサユニット４１は、第１赤外線センサ４３ａと、第２赤外線センサ４３ｂと、マスキング部材４４とを有する。すなわち、第１赤外線センサ４３ａ、第２赤外線センサ４３ｂおよびマスキング部材４４は、ユニット基板４２によってユニット化されて、室内機２に取り付けられている。しかし、第１赤外線センサ４３ａ、第２赤外線センサ４３ｂおよびマスキング部材４４は、ユニット化されずに、別個に室内機２に取り付けられてもよい。例えば、ユニット基板４２を用いずに、第１赤外線センサ４３ａ、第２赤外線センサ４３ｂおよびマスキング部材４４が、室内機２の前面パネル２０ａに直接取り付けられてもよい。
【産業上の利用可能性】
【００４８】
本発明に係る空気調和機は、室内機に取り付けられたセンサの検知領域の境界を正確に確定することができる。
【符号の説明】
【００４９】
１      空気調和機
２      室内機
４      制御部
１７      水平フラップ
４３ａ    第１赤外線センサ（第１センサ）
４３ｂ    第２赤外線センサ（第２センサ）
４４      マスキング部材
１４４ａ    第１マスキング部品
１４４ｂ    第２マスキング部品
ＤＲ１    第１検知可能領域
ＤＲ２    第２検知可能領域
Ｒ１    第１検知領域
Ｒ２    第２検知領域
Ｒ３    第３検知領域
【先行技術文献】
【特許文献】
【００５０】
【特許文献１】特開２００９−８５５２７号公報
【図１】
0005240331.tif 000002
【図２】
0005240331.tif 000003
【図３】
0005240331.tif 000004
【図４】
0005240331.tif 000005
【図５】
0005240331.tif 000006
【図６】
0005240331.tif 000007
【図７】
0005240331.tif 000008
【図８】
0005240331.tif 000009
【図９】
0005240331.tif 000010
【図１０】
0005240331.tif 000011
【図１１】
0005240331.tif 000012
【図１２】
0005240331.tif 000013
【図１３】
0005240331.tif 000014